(57)【要約】【課題】ポンプセットを利用すると共に蓋を立てるというように蓋の収容領域を小さくしながら、蓋の取扱性の向上を図ることができる散布装置を提供する。【解決手段】台車２に、液体を貯留するタンク３が搭載されると共に、タンク３より上に、液体をタンク３から送り出すためのポンプセット４が搭載された散布装置１において、ポンプセット４を、タンク３に液体を投入するための投入口１７の後方に隣接して配置し、ポンプセット４におけるタンク３の投入口１７側に、タンク３の投入口１７に取り付けられる蓋１９を立てて収容する収容空間ｘを形成することで、投入口１７から外した蓋１９を当該投入口１７の後方に設けられた収容空間ｘに立てて収容する。【選択図】図１
2010155186.tif 000002
【特許請求の範囲】
【請求項１】
台車（２）に、液体を貯留するタンク（３）が搭載されると共に、当該タンク（３）より上に、ポンプ（２０）及びこれを駆動する原動機（２２）を有し前記液体を前記タンク（３）から送り出すためのポンプセット（４）が搭載された散布装置（１）において、
前記ポンプセット（４）は、当該ポンプセット（４）が有するポンプ台（２５）を介して前記台車（２）に搭載されると共に、前記タンク（３）に液体を投入するための投入口（１７）の後方に隣接して配置されており、
前記ポンプセット（４）における前記タンク（３）の前記投入口（１７）側には、前記タンク（３）の前記投入口（１７）に取り付けられる蓋（１９）を立てて収容する収容空間（ｘ）が設けられていることを特徴とする散布装置（１）。
【請求項２】
前記ポンプセット（４）は、前記原動機（２２）に電力を供給すると共に、前記ポンプセット（４）において前記投入口（１７）側から出入口（４ａ）を通して出し入れされるバッテリ（２３）を備えており、
前記収容空間（ｘ）は、前記ポンプ台（２５）の前面から前側に突出する突出部（２９）により形成され、
前記突出部（２９）は、Ｌ字状を成し対向する一対のステー（２９ａ，２９ｂ）を有し、
前記一対のステー（２９ａ，２９ｂ）は、前記ポンプセット（４）の前記出入口（４ａ）よりも下側において、互いのステー（２９ａ，２９ｂ）の先端部同士が向かい合うように対向し且つ前記台車（２）の幅方向に離間すると共に、その基端部が前記ポンプ台（２５）の前面に連結されていることを特徴とする請求項１記載の散布装置（１）。
【発明の詳細な説明】
【技術分野】
【０００１】
本発明は、散布装置に関する。
【背景技術】
【０００２】
従来、台車に、液体を貯留するタンクが搭載されると共に、このタンクより上に、ポンプ及びこれを駆動する原動機を有し液体をタンクから送り出すためのポンプセットと、ポンプに接続された液体散布用のホースを巻き取るためのホースリールとが搭載された散布装置が知られている（例えば、非特許文献１参照）。この散布装置にあっては、その使用状態の一例に示されているように、タンク上に、前端側から、タンクに液体を投入するタンクの投入口、ホースリール及びポンプセットがこの順で配置されている。
【非特許文献１】意匠１２５０３８５号公報
【発明の開示】
【発明が解決しようとする課題】
【０００３】
ところで、上記従来の散布装置にあっては、タンクの投入口に取り付けられる蓋を置く場所がない。そのため、蓋を外す度に蓋を載置する場所を探さなければならず、液体（薬剤）を投入するための一連の動作に支障をきたすことがある。また、蓋を置く場所によっては、蓋に汚れやゴミが付着する虞があり、ゴミ等が付着したまま蓋を閉めた場合には、タンク内の液体に異物が混入する原因となる。このように、上記従来の散布装置にあっては、蓋の取扱性が悪いという問題があった。
【０００４】
本発明は、このような課題を解決するために成されたものであり、タンクの投入口の蓋の取扱性の向上を図ることができる散布装置を提供することを目的とする。
【課題を解決するための手段】
【０００５】
本発明による散布装置（１）は、台車（２）に、液体を貯留するタンク（３）が搭載されると共に、タンク（３）より上に、ポンプ（２０）及びこれを駆動する原動機（２２）を有し液体をタンク（３）から送り出すためのポンプセット（４）が搭載された散布装置（１）において、ポンプセット（４）は、当該ポンプセット（４）が有するポンプ台（２５）を介して台車（２）に搭載されると共に、タンク（３）に液体を投入するための投入口（１７）の後方に隣接して配置されており、ポンプセット（４）におけるタンク（３）の投入口（１７）側には、タンク（３）の投入口（１７）に取り付けられる蓋（１９）を立てて収容する収容空間（ｘ）が設けられていることを特徴とする。
【０００６】
この散布装置（１）によれば、ポンプセット（４）は、当該ポンプセット（４）が有するポンプ台（２５）を介して台車（２）に搭載されると共に、タンク（３）に液体を投入するための投入口（１７）の後方に隣接して配置されており、ポンプセット（４）におけるタンク（３）の投入口（１７）側には、タンク（３）の投入口（１７）に取り付けられる蓋（１９）を立てて収容する収容空間（ｘ）が設けられているので、投入口（１７）から外した蓋（１９）を当該投入口（１７）の後方に設けられた収容空間（ｘ）に立てて収容することができる。従って、ポンプセット（４）を利用すると共に蓋（１９）を立てるというように蓋（１９）の収容領域を小さくしながら、液体を投入するための一連の動作を円滑に行うことができると共に、蓋（１９）に汚れやゴミが付着しタンク（３）内の液体に混入するといった問題を解消することができ、蓋（１９）の取扱性の向上を図ることができる。
【０００７】
ここで、ポンプセット（４）は、原動機（２２）に電力を供給すると共に、ポンプセット（４）において投入口（１７）側から出入口（４ａ）を通して出し入れされるバッテリ（２３）を備えており、収容空間（ｘ）は、ポンプ台（２５）の前面から前側に突出する突出部（２９）により形成され、突出部（２９）は、Ｌ字状を成し対向する一対のステー（２９ａ，２９ｂ）を有し、一対のステー（２９ａ，２９ｂ）は、ポンプセット（４）の出入口（４ａ）よりも下側において、互いのステー（２９ａ，２９ｂ）の先端部同士が向かい合うように対向し且つ台車（２）の幅方向に離間すると共に、その基端部がポンプ台（２５）の前面に連結されていることが好ましい。このような構成を採用した場合、一対のステー（２９ａ，２９ｂ）の先端部同士の間に間隙が存在するため、バッテリ（２３）を出し入れする際に、作業者の手が間隙を通して出し入れでき、一対のステー（２９ａ，２９ｂ）に干渉することがないため、一対のステー（２９ａ，２９ｂ）が邪魔にならない。また、一対のステー（２９ａ，２９ｂ）がバッテリ（２３）が出し入れされる出入口（４ａ）よりも下側に設けられているので、ポンプセット（４）から取り外したバッテリ（２３）を一対のステー（２９ａ，２９ｂ）上に載置することができ、バッテリ（２３）の置き場所としても利用できる。
【発明の効果】
【０００８】
本発明によれば、ポンプセットを利用すると共に蓋を立てるというように蓋の収容領域を小さくしながら、蓋の取扱性の向上を図ることができる。
【発明を実施するための最良の形態】
【０００９】
以下、本発明に係る散布装置の好適な実施形態について添付図面を参照しながら説明する。図１は、本発明の一実施形態に係る散布装置の外観を示す斜視図、図２は、図１に示す散布装置の側面図である。
【００１０】
図１及び図２に示すように、散布装置１は、移動可能な台車２と、液体を貯留するタンク３と、液体をタンク３から送り出すためのポンプセット４と、液体を散布するホース５を巻き取るためのホースリール６とを備えている。ここで、液体としては、例えば薬剤が用いられる。以下、各部について詳細に説明する。
【００１１】
台車２は、タンク３、ポンプセット４及びホースリール６を移動するためのものであり、パイプ状のフレーム２ａから構成されたフレーム構造となっている。この台車２には、当該台車２を移動可能にするための一対の車輪７及び一対のキャスタ８が回動自在に取り付けられている。一対の車輪７は、台車２の前側（図示左側）に取り付けられており、一対のキャスタ８は、台車２の後側（図示右側）に取り付けられている。そして、キャスタ８の上部には、荷物等を収容可能な収容カゴ９が設けられている。
【００１２】
また、台車２には、この台車２と一体形成されたハンドル１０が設けられている。このハンドル１０は、台車２の後側、すなわちキャスタ８側の上方に設けられており、後方且つ斜め上方に突出している。このハンドル１０は、水平を成し作業者に把持される把手部１１と、当該把手部１１の両端部及びフレーム２ａを連結する一対の連結部１２ａ，１２ｂとを有しており、コ字状を成している。
【００１３】
さらに、図１に示すように、ハンドル１０の一対の連結部１２ａ，１２ｂ間には、把手部１１と平行に上下に離間し一対の連結部１２ａ，１２ｂを繋ぐレール１３，１４が設けられている。このレール１３，１４には、レール１３，１４の軸線方向（左右方向）に沿って移動（摺動）可能でありホース５が通されたホースガイド１５が支持されている。このホースガイド１５は、図１に示すように、矩形状の開口１６を有しており、この開口１６にホース５が通されている。
【００１４】
タンク３は、台車２のフレーム２ａに囲われるように搭載されている。このタンク３には、タンク３内へ液体を投入するための投入口１７と、タンク３内の液体を排出するための排出口１８とが設けられている。投入口１７は、前側上部に設けられ、この投入口１７には、当該投入口１７を塞ぐための蓋１９が着脱可能に取り付けられている。また、排出口１８は、前側下部に設けられ、この排出口１８には、蓋２０が取り付けられている。そして、タンク３には、図２に示すように、その側面にタンク３内の液体残量を示す目盛Ｍが付されている。
【００１５】
また、タンク３は、後述するホースリール６が配置される側の端部の上部にへこみ部３ａを有する。このへこみ部３ａは、円形状のホースリール６の形状に合わせて、タンク３の上部の角部が取られて湾曲するように凹状にえぐれている。これにより、ホースリール６は、ポンプセット４が配置されている位置のタンク３の上面よりも下側に入り込んで配置されている。
【００１６】
ホースリール６は、ホース５の巻き取り及び繰り出しを行うもので、前述したように、タンク３のへこみ部３ａより上に配置されており、ホース５を巻き取る軸２７、軸受２８を介して台車２（フレーム２ａ）に回動自在に搭載されている。また、ホースリール６には、ホース５を巻き取るためのハンドル（図示しない）が取り付けられている。
【００１７】
ポンプセット４は、図１及び図２に示すように、ポンプ２１と、原動機２２と、バッテリ２３とを備え、原動機２２及びバッテリ２３は、カバー２４によって覆われている。このポンプセット４は、タンク３より上に配置されており、当該ポンプセット４が有するポンプ台２５を介して台車２（フレーム２ａ）に搭載されている。
【００１８】
ポンプ２１は、ポンプ作用を行うもので、カバー２４の側面より突出するように設けられており、その吸入口がタンク３に接続されている。原動機２２は、ポンプ２１の駆動源となるもので、カバー２４の内部に収容されて覆われる。そして、ポンプ２１は、原動機２２により駆動され、タンク３から液体を排出口に送り出し、この排出口に接続されたホース５に排出する。
【００１９】
また、バッテリ２３は、原動機２２の動力源となるもので、原動機２２の下方に設けられている。このバッテリ２３は、バッテリケース２６内に収容され、このバッテリケース２６が、カバー２４の下部に形成されて前方（タンク３の投入口１７側）に開放された出入口４ａを通してカバー２４内にスライドして出し入れされる。
【００２０】
ここで、特に本実施形態においては、タンク３の投入口１７、ポンプセット４及びホースリール６が前側から後側へこの順で配置されており、ポンプセット４は、タンク３の投入口１７の後方に隣接して配置されている。
【００２１】
そして、ポンプセット４におけるタンク３の投入口１７側には、タンク３の投入口１７に取り付けられる蓋１９を立てて収容する収容空間ｘが設けられている。
【００２２】
具体的には、図１に示すように、収容空間ｘは、ポンプ台２５の前面から前側に突出する突出部２９により形成されており、この突出部２９は、Ｌ字状を成し対向する一対のステー２９ａ，２９ｂを有している。この一対のステー２９ａ，２９ｂは、バッテリ２３を出し入れする出入口４ａよりも下側において、互いのステー２９ａ，２９ｂの先端部同士が向かい合うように対向し且つ台車２の幅方向に離間すると共に、その基端部がポンプ台２５の前面に連結されている。すなわち、ポンプ台２５との間に平面視略長方形の蓋１９の収容空間ｘが形成され、且つ、一対のステー２９ａ，２９ｂの先端部間に間隙が形成されるように、一対のステー２９ａ，２９ｂがポンプ台２５に設けられている。これにより、図３に示すように、タンク３の投入口１７から取り外された蓋１９は、一対のステー２９ａ，２９ｂによってポンプ台２５との間に形成された収容空間ｘに差し込まれることで、タンク３の上面に載置され立てた状態で一対のステー２９ａ，２９ｂによって保持される。
【００２３】
また、図４に示すように、バッテリケース２６（バッテリ２３）をポンプセット４から取り出した際に、このバッテリケース２６の直ぐ下方の一対のステー２９ａ，２９ｂ上にバッテリケース２６を載置することもできる。そして、バッテリケース２６を出し入れする際、一対のステー２９ａ，２９ｂの先端部同士の間に空隙が形成されているので、作業者の手が一対のステー２９ａ，２９ｂに干渉することがない。
【００２４】
このように、本実施形態にあっては、ポンプセット４は、当該ポンプセット４が有するポンプ台２５を介して台車２に搭載されると共に、タンク３に液体を投入するための投入口１７の後方に隣接して配置されており、ポンプセット４におけるタンク３の投入口１７側には、タンク３の投入口１７に取り付けられる蓋１９を立てて収容する収容空間ｘが設けられているので、投入口１７から外した蓋１９を当該投入口１７の後方に設けられた収容空間ｘに立てて収容することができる。従って、ポンプセット４を利用すると共に蓋１９を立てるというように蓋１９の収容領域を小さくしながら、液体を投入するための一連の動作を円滑に行うことができると共に、蓋１９に汚れやゴミが付着しタンク３内の液体に混入するといった問題を解消することができ、蓋１９の取扱性の向上を図ることができる。
【００２５】
また、本実施形態にあっては、ポンプセット４は、原動機２２に電力を供給すると共に、ポンプセット４において投入口１７側から出入口４ａを通して出し入れされるバッテリ２３を備えており、収容空間ｘは、ポンプ台２５の前面から前側に突出する突出部２９により形成され、突出部２９は、Ｌ字状を成し対向する一対のステー２９ａ，２９ｂを有し、一対のステー２９ａ，２９ｂは、ポンプセット４の出入口４ａよりも下側において、互いのステー２９ａ，２９ｂの先端部同士が向かい合うように対向し且つ台車２の幅方向に離間すると共に、その基端部がポンプ台２５の前面に連結されているので、一対のステー２９ａ，２９ｂの先端部同士の間に間隙が存在し、バッテリ２３を出し入れする際に、作業者の手が間隙を通して出し入れでき、一対のステー２９ａ，２９ｂに干渉することがなく、一対のステー２９ａ，２９ｂが邪魔にならない。また、一対のステー２９ａ，２９ｂがバッテリ２３が通る出入口４ａよりも下側に設けられているので、ポンプセット４から取り外したバッテリ２３を一対のステー２９ａ，２９ｂ上に載置することができ、バッテリ２３の置き場所としても利用できる。これにより、バッテリ２３の落下を防止することができる。
【００２６】
また、一対のステー２９ａ，２９ｂがバッテリ２３が出し入れされる出入口４ａの直ぐ下に設けられているので、タンク３の投入口１７の蓋１９を収容空間ｘに収納した場合に、図３に示すように、蓋１９によってバッテリケース２６の前面が覆われることになり、タンク３内に投入口１７から液体を投入する際に、液体がバッテリケース２６（バッテリ２３）にかかることを防止できる。
【００２７】
また、タンク３の投入口１７から外した蓋１９を、毎回決まった位置に収容することで、蓋１９の紛失を防止できるといった利点もある。
【００２８】
以上、本発明をその実施形態に基づき具体的に説明したが、本発明は上記実施形態に限定されるものではなく、例えば、上記実施形態においては、突出部２９をＬ字状を成し対向する一対のステー２９ａ，２９ｂとし、この一対のステー２９ａ，２９ｂの先端部同士の間に間隙が形成される構成としたが、突出部２９は蓋１９の収容空間ｘを形成すればよく、間隙が形成されない形状（例えば、コ字状）であっても良い。
【図面の簡単な説明】
【００２９】
【図１】本発明の一実施形態に係る散布装置の外観を示す斜視図である。
【図２】図１に示す散布装置の側面図である。
【図３】ポンプ台に設けられたステーによる収容空間に蓋を立てて収納した状態を示す図である。
【図４】ポンプ台に設けられたステーにバッテリを載置した状態を示す図である。
【符号の説明】
【００３０】
１…散布装置、２…台車、３…タンク、４…ポンプセット、４ａ…出入口、１７…投入口、１９…蓋、２０…ポンプ、２２…原動機、２３…バッテリ、２５…ポンプ台、２９…突出部、２９ａ，２０ｂ…ステー、ｘ…収容空間。
【図１】
2010155186.tif 000003
【図２】
2010155186.tif 000004
【図３】
2010155186.tif 000005
【図４】
2010155186.tif 000006